(57)【要約】
【課題】  使用する任意のインデックスを容易に切り離すことができて、迅速に利用に供することができ、しかも印刷部の印刷ずれが生じることがなく品質のよいインデックス用紙を提供すること。
【解決手段】  このインデックス用紙１は、中央部に折り用のミシン目２が形成され、四周囲に前記ミシン目より目の細かい切り離し用のマイクロミシン目３が形成された略長方形状のインデックス５を複数個有することを特徴とする。
【選択図】        図１
0003101172.tif 000002
【実用新案登録請求の範囲】
【請求項１】
中央部に折り用のミシン目が形成され、四周囲に前記ミシン目より目の細かい切り離し用のマイクロミシン目が形成された略長方形状のインデックスを複数個有することを特徴とするインデックス用紙。
【請求項２】
インデックスは、縦横に設けられ、かつ個々のインデックスには識別用区画が縦横方向に複数個表示されている請求項１記載のインデックス用紙。
【請求項３】
インデックスは、隣接するインデックスとの間にマイクロミシン目で切り離す際に廃棄する部分が設けられている請求項２記載のインデックス用紙。
【請求項４】
識別用区画には数字又は色彩が施されている請求項２又は３記載のインデックス用紙。
【考案の詳細な説明】
【技術分野】
【０００１】
この考案は、書類綴じ用ファィルの小見出し又は背見出しとして使用されるインデックスを簡単に作成して利用できるインデックス用紙に関するものである。
【背景技術】
【０００２】
従来のインデックス用紙５１は、図２にその縦横方向を省略して示すように中央部に折り用のミシン目５２が形成され、四周囲に切り離し用の線５３が印刷表示された略長方形状のインデックス５５を複数個有するものからなっていた。図面では省略しているが、複数個のインデックス５５は縦横に設けられている。このインデックス５５において、５６は患者番号を表示する部分で、６桁からなっている。５７はチェックデジット、５８は診療科コードを示す。
【考案の開示】
【考案が解決しようとする課題】
【０００３】
ところで、前記従来のインデックス用紙５１は、前記のような構成からなっているので、インデックスとして使用するときに複数個のインデックス５５から使用する任意のインデックスを切り離すが、その際にカッター等が切り離し用の線５３上に位置するようにして切り離すしか方法がなく、切断が左右にぶれないよう細心の注意を払わなければならないとともに、切断から実際に利用するまでに時間がかかるものとなっていた。また、隣接するインデックス５５との間に切断に際し捨てる部分５９を予め確保したうえ、該部分を除いて数字と色彩（カラー）からなる印刷部６０を形成しなければならず、このような印刷部６０の形成に際しては、該印刷部の印刷ずれが生じて品質の低下をきたすという問題点があった。
【０００４】
そこでこの考案は、前記従来のものの問題点を解決し、使用する任意のインデックスを容易に切り離すことができて、迅速に利用に供することができ、しかも印刷部の印刷ずれが生じることがなく品質のよいインデックス用紙を提供することを目的とする。
【課題を解決するための手段】
【０００５】
前記課題を解決するために、請求項１に記載の考案は、中央部に折り用のミシン目が形成され、四周囲に前記ミシン目より目の細かい切り離し用のマイクロミシン目が形成された略長方形状のインデックスを複数個有することを特徴とする。
【０００６】
請求項２に記載の考案は、請求項１において、インデックスは、縦横に設けられ、かつ個々のインデックスには識別用区画が縦横方向に複数個表示されていることを特徴とする。請求項３に記載の考案は、請求項２において、インデックスは、隣接するインデックスとの間にマイクロミシン目で切り離す際に廃棄する部分が設けられていることを特徴とする。請求項４に記載の考案は、請求項２又は３において、請識別用区画には数字又は色彩が施されていることを特徴とする。
【考案の効果】
【０００７】
この考案は、前記のような構成であるから、使用する任意のインデックスをマイクロミシン目に沿って容易に切り離すことができて、迅速に利用に供することができる。しかもインデックスが、隣接するインデックスとの間にマイクロミシン目で切り離す際に廃棄する部分が設けられているものにあっては、該部分を介して目一杯に印刷部をベタ印刷することができるので、従来のように印刷部に印刷ずれが生ずることがなく、高い品質のインデックス用紙を提供することができる等の優れた効果がある。
【考案を実施するための最良の形態】
【０００８】
この考案の一実施の形態を、添付図面を参照して説明する。
【０００９】
図１はインデックス用紙の縦横方向を省略した要部の平面図である。１はインデックス用紙（白紙）で、例えばＡ４サイズの大きさからなり、縦横に略長方形状（短冊状）のインデックス５が複数個形成されている。インデックス５は、中央部に折り用のミシン目２が形成され、四周囲にミシン目２より目の細かい切り離し用のマイクロミシン目３が形成されている。
【００１０】
インデックス５には識別用区画６が縦横方向に複数個、太線又は細線からなる線７，８で印刷表示されている。識別用区画６には従来と同様に患者番号を表す数字や診療科コードが施され、又はこれら数字等とともに色彩が施されている。１０は数字と色彩からなる印刷部である。隣接するインデックス５間には、マイクロミシン目３で切り離す際に廃棄する部分９が設けられている。廃棄する部分９には、印刷部１０の一部がはみ出して目一杯にベタ印刷されている。印刷部１０をこのように印刷することにより、マイクロミシン目３でインデックス５を切り離しても的確な印刷部１０の保証が得られ、従来のように印刷ずれが生じることがなくなる。
【００１１】
インデックス用紙１中から任意のインデックス５を使用するには、使用するインデックス５の四周囲を形成するマイクロミシン目３に沿ってその左右、縦横を切り離す。切り離しは、手指で容易にでき、従来のようにカッターを用いる必要がない。そして、この切り離したインデックス５の識別用区画６に必要に応じて数字等を施すとともに、ミシン目２で左右に２つ折りに畳んだうえ図示しないファィルの小見出しに挿入して保持する。
【００１２】
前記のようにマイクロミシン目３に沿って切り離せばよいので、インデックス用紙１からのインデックス５の切り離しがきわめて容易となる。したがって、切り離しから利用するまでの時間が短くすみ、従来のカッター方式に比し、作業時間を格段に短縮することが可能となる。また、識別用区画６に印刷部１０を印刷する場合にもマイクロミシン目３のぎりぎりの線まで全てクリアに印刷が可能となり、きわめて経済的である。
【００１３】
実施の形態のインデックス用紙１ではインデックス５を縦に１個、横に４個、図示したが、これに限定されることなく、複数個であれば任意の数とすることが可能であり、特にその複数個は縦横であると好ましい。また、インデックス５の識別用区画６も、インデックス５が小見出し用であるため、７桁としたが、背見出し用とする場合には当然もっと桁の多いものとすることが可能である。いずれにしても、図示した実施の形態は好ましい一例にすぎず、この考案は実用新案登録請求の範囲に記載した技術的事項の範囲であれば、実施に際して種々の変更、修正が可能であることは言うまでもない。
【図面の簡単な説明】
【００１４】
【図１】この考案の一実施の形態を示す、インデックス用紙の縦横方向を省略した要部の平面図である。
【図２】従来のインデックス用紙の縦横方向を省略した要部の平面図である。
【符号の説明】
【００１５】
１  インデックス用紙
２  折り用のミシン目
３  切り離し用のマイクロミシン目
５  インデックス
６  識別用区画
７，８  線
９  廃棄する部分
１０  印刷部
【図１】
0003101172.tif 000003
【図２】
0003101172.tif 000004